(57)【要約】【課題】【解決手段】自己結紮式歯列矯正用ブラケット組立体が開示されている。この開示された自己結紮式歯列矯正用ブラケット組立体は、ブラケット本体に歯校正用ワイヤが安着するように備えられたスロットを開閉するための結紮スライドがブラケット本体に移動可能な状態で設置され、ブラケット本体と結紮スライドを相補的に拘束するための結束部を含む。結束部は、結紮スライドの移動区間に配置されるようにブラケット本体に備えられるピン部材と、該ピン部材と相補的結合ができるように結紮スライドに備えられたリテーナを含む。このブラケット組立体は、結紮スライドの移動に伴って、リテーナとピン部材との相補的な脱着作用によってスロットに挿入されたワイヤの結紮及び解除動作が選択的に行われる。このような構成によると、歯列矯正用アーチワイヤー結紮スライドの作動をワンタッチ方式で操作することができ、簡易にハンドリングすることができるので、歯列矯正治療や施術の効率性と効果を向上させることができるだけでなく、経済的で高精度の製作が可能であり、品質と信頼性と安心感と耐久性を向上させることができる。【選択図】図１
2019510611.tif 000002
【特許請求の範囲】
【請求項１】
歯の表面に付着する接着面と、歯配列方向にワイヤ安着ができるように開放形成されたスロットを備えたブラケット本体と；
前記スロットの選択的な開閉動作ができるように前記ブラケット本体に移動可能な状態で設置される結紮スライドと；
前記ラケット本体に対して前記結紮スライドの脱離を防ぐことができるように拘束するための結束部と、を含み、
前記結束部は、前記結紮スライドの移動区間に配置されるように前記ブラケット本体に備えられるピン部材と；
前記ピン部材と相補的な脱着作用ができるように前記結紮スライドに備えられたリテーナと、を含み、
前記結紮スライドの移動に伴って、前記リテーナと前記ピン部材との相補的な脱着作用によって前記スロットに挿入されたワイヤの結紮及び解除動作が選択的に行われ、
前記リテーナは、前記結紮スライドの前記ブラケット本体に向かう底面に設置され、
前記リテーナは、前記結紮スライドの移動に伴って、前記ピン部材によって弾性変更されながら、相補的な脱着作用ができるように板バネ体から形成されたスナップリング（Snap ring）からなり、
前記リテーナは、板状の弾性片からなるボディの中央に円形穴が形成された円盤部と前記円形穴の一方が開放されて連続するスリット穴とがキー溝（key seat）の形をなすように前記円盤部から延出されるように備えられた１組の流動板と、前記円形穴の他側に連通する逃避溝として形成された円弧型長穴及び前記円形穴と円弧型長穴との境界部に内側に突出するように翼形に形成された１組の緩衝用弾性リブと、を含む
自己結紮式歯列矯正用ブラケット組立体。
【請求項２】
前記ブラケット本体は、歯の表面に付着する接着面が底面を形成するように板状ブロック体形状からなるベースと、前記スロットを挟んで、両側に分割区画されるように前記ベース上にそれぞれ突出されたブロックの形状に設けられる第１の上部ボディ及び第２の上部ボディとを備え、
前記スロットは、前記ベースの上面の一部が露出されて底面を形成し、前記第１の上部ボディ及び第２の上部ボディの向かい合う壁面が内側壁をなすように囲まれて、上部及び両端に開放された凹溝をなすように形成され、その凹溝にアーチワイヤが安着するように挿入され、ブラケット本体を歯にカップリングできるようになっていることを特徴とする
請求項１に記載の自己結紮式歯列矯正用ブラケット組立体。
【請求項３】
前記ベースは、歯の表面に付着する接着面をなすようになる底面に接着剤と接触領域を増大させ、結合強度を増加させるために、多数の突出突起が一定のパターンに配列されるように備えられたことを特徴とする
請求項２に記載の自己結紮式歯列矯正用ブラケット組立体。
【請求項４】
前記突出突起は、周囲に充填される接着剤を拘束して容易に脱離することを防止できるようにアンダーカット（undercut）の形に形成されることを特徴とする
請求項３に記載の自己結紮式歯列矯正用ブラケット組立体。
【請求項５】
前記ブラケット本体の第１の上部ボディには、前記スロットの内側壁をなしている壁面の上端に一定の深さに掘られるように加工され、タブ（tab）の形の逃避溝を形成するようになっている工具ソケット（receptacle）が備えられることを特徴とする
請求項２に記載の自己結紮式歯列矯正用ブラケット組立体。
【請求項６】
前記ブラケット本体の第２の上部ボディには、前記結紮スライドが収容され、移動可能な通路を形成するようになっているスライド部と、該スライド部の両側壁を形成するように突出され、互いに向かい合う１組のガイド部と、が備えられることを特徴とする
請求項２に記載の自己結紮式歯列矯正用ブラケット組立体。
【請求項７】
前記１組のガイド部の内側壁の下端部には、それぞれ前記スライド部を拡張するようにグルーブの形に加工形成されたガイドレールが並べて配列されることを特徴とする
請求項６に記載の自己結紮式歯列矯正用ブラケット組立体。
【請求項８】
前記スライド部には、前記ベース及び前記第２の上部ボディを貫通するように形成された貫通孔が備えられ、該貫通孔に前記ピン部材が貫通するように結合された状態で、その上端部が前記スライド部の床面から一定の高さ突出するように設置されることを特徴とする
請求項６に記載の自己結紮式歯列矯正用ブラケット組立体。
【請求項９】
前記ブラケット本体の第１の上部ボディ及び第２の上部ボディには、それぞれ前記ベースの上端部と接して境界をなす下端部の外周面に共用の弾性バンドが安着するようにグルーブ（groove）の形に凹むように形成された安着溝が設けられる
請求項２に記載の自己結紮式歯列矯正用ブラケット組立体。
【請求項１０】
前記結紮スライドは、前記スライド部に相補的に結合して移動可能な状態で収容されるボディと、該ボディの下端部の両側にそれぞれ外側に対向するように突出される１組のスライディングウィングと、を備え、
前記スライディングウィングは、前記スライド部の両側壁をなす１組のガイド部にそれぞれ備えられたガイドレールに相補的に結合され、スライディングによる移動ができるように設置されていることを特徴とする
請求項６に記載の自己結紮式歯列矯正用ブラケット組立体。
【請求項１１】
前記結紮スライドは、ボディの底面に前記リテーナが嵌め込まれて支持されるように備えられた嵌め込み溝を含むことを特徴とする
請求項１に記載の自己結紮式歯列矯正用ブラケット組立体。
【請求項１２】
前記ブラケット本体は、非金属透明素材及び半透明素材から選ばれたいずれか１つの素材を用いて成形されることを特徴とする
請求項１に記載の自己結紮式歯列矯正用ブラケット組立体。
【発明の詳細な説明】
【技術分野】
【０００１】
本発明は、歯列矯正用ブラケット組立体に関し、詳しくは、歯列矯正用アーチワイヤの結紮スライドの作動メカニズムを簡易化して、歯列矯正治療及び施術の効率性と安定感と経済性を大幅に向上することができるように改良した自己結紮式歯列矯正用ブラケット組立体に関する。
【背景技術】
【０００２】
歯列矯正は、不正咬合（malocclusion）などのように、歯配列（tooth arrangement）が不規則な状態を矯正するための治療である。この歯列矯正は、通常機械的な補助デバイスである歯列矯正器（brace）を使用するようになる。
【０００３】
最近、様々な形状と種類の歯列矯正器が開発され、歯列矯正施術に使用されている。そのうち、固定式歯列矯正器は、歯の表面に貼り付いているブラケットのスロットにアーチワイヤ（Arch wire）を掛けて引っ張りたり、又は押したりして矯正する矯正器である。
【０００４】
当該固定式歯列矯正器は、歯のツルツルの外面にブラケットを設置する施術の利便性などのような利点がある。一方、ワイヤーをブラケットに固定するためには、例えば、弾性Ｏ−リングやボルト又はクリップなどのような固定部材をいちいちブラケットに結ぶ作業が必要である。従って、施術時間と努力が多く要求されるだけでなく、患者が容易に痛みを感じることができるという欠点を有する。
【０００５】
このような固定式歯列矯正器の欠点を解消するために、いわゆるワンタッチ方式によりワイヤーを固定することができる自己結紮（Self ligation）方式のブラケットが使用されており、その一例が、韓国登録特許広報第１０−１５４１１２６号及び第１０−１５０６３４３号などに詳細に開示されている。
【０００６】
例えば、自己結紮式歯列矯正用ブラケット組立体は、ワイヤを巻いて締め付けられるのではなく、クリアスナップ形状のクリップやキャップ（cap）又はプレートやカーバの形の作動部材をワンタッチ操作だけで容易に固定して取り付けることが可能となる。これにより、ワイヤー固定のための弾性Ｏ−リングやボルトやクリップなどのような固定部材が排除されるにつれて、歯の間の摩擦力を減らして、矯正期間が相対的に短く、痛みや異物減も少ないという利点などがある。
【０００７】
しかしながら、従来の自己結紮式歯列矯正用ブラケット組立体の場合、その外形サイズが非常に小さい一方、ワイヤーの結束のための作動部材の構造が非常に複雑であり、精密な製造が容易でないので、製造単価が高いだけでなく、施術性と耐久性が相対的に低下するという問題がある。
【先行技術文献】
【特許文献】
【０００８】
【特許文献１】韓国登録特許第１０−１５４１１２６号公報
【発明の概要】
【発明が解決しようとする課題】
【０００９】
本発明は、上記のような問題点を考慮して、これらを改善するために案出されたもので、操作が容易で、簡単にハンドリングすることができ、経済的なコストで製作可能であり、治療及び施術の効率性が向上し、治療及び施術時の痛みを排除して、安定感を向上させることができるようになった歯列矯正用アーチワイヤの結紮スライドの作動メカニズムが簡易化されている自己結紮式歯列矯正用ブラケット組立体を提供することに目的がある。
【課題を解決するための手段】
【００１０】
上記の目的を達成するために、本発明による自己結紮式歯列矯正用ブラケット組立体は、歯の表面に付着する接着面と、歯配列方向にカップリングワイヤを挿入できるように開放されているスロットを備えたブラケット本体と；前記スロットの選択的な開閉動作ができるように前記ブラケット本体に移動可能な状態で設置される結紮スライドと；前記ラケット本体に対して前記結紮スライドの脱離を防ぐことができるように拘束するための結束部と、を含み、前記結束部は、前記結紮スライドの移動区間に配置されるように前記ブラケット本体に備えられるピン部材と；前記ピン部材と相補的結合ができるように前記結紮スライドに備えられたリテーナと、を含み、前記結紮スライドの移動に伴って、前記リテーナと前記ピン部材との相補的な脱着作用によって前記スロットに挿入されたワイヤの結紮及び解除動作が選択的に行われる。
【００１１】
上記のような構成を有する本発明による自己結紮式歯列矯正用ブラケット組立体において、前記ブラケット本体は、歯の表面に付着する接着面が底面を形成するように板状ブロック体形状からなるベースと、前記スロットを挟んで、両側に分割区画されるように前記ベース上にそれぞれ突出されたブロックの形状に設けられる第１の上部ボディ及び第２の上部ボディとを備え、前記スロットは、前記ベースの上面の一部が露出されて底面を形成し、前記第１の上部ボディ及び第２の上部ボディの向かい合う壁面が内側壁をなすように囲まれて、上部及び両端に開放された凹溝をなすように形成され、その凹溝にアーチワイヤが安着するように挿入され、ブラケット本体を歯にカップリングできるようになることができる。
【００１２】
前記ベースは、歯の表面に付着する接着面をなすようになる底面に接着剤と接触領域を増大させ、結合強度を増加させるために、多数の突出突起が一定のパターンに配列されるように備えられていてもよい。
【００１３】
前記突出突起は、周囲に充填される接着剤を拘束して容易に脱離することを防ぐことができるようにアンダーカット（undercut）の形に形成することができる。
【００１４】
前記ブラケット本体の第１の上部ボディには、前記スロットの内側壁をなしている壁面の上端に一定の深さに掘られるように加工され、タブ（tab）の形の逃避溝を形成するようになっている工具ソケット（receptacle）が備えられていてもよい。
【００１５】
前記ラケット本体の第２の上部ボディには、前記結紮スライドが収容され、移動可能な通路を形成するように“凹”状になっているスライド部と、該スライド部の両側壁を形成するように突出され、互いに向かい合う１組のガイド部と、が備えられていてもよい。
【００１６】
そして、前記１組のガイド部の内側壁の下端部には、それぞれ前記スライド部を拡張するようにグルーブの形に加工形成されたガイドレールが並べて配列されるように備えられ、前記スライド部には、前記ベース及び前記第２の上部ボディを貫通するように形成された貫通孔が備えられ、該貫通孔には、前記結束手段の１つの構成要素をなすピン部材が挿入され、その上端部が前記スライド部の床面から一定の高さ突出するようにえ設置してもよい。
【００１７】
一方、本発明の一側面によると、前記ブラケット本体の第１の上部ボディ及び第２の上部ボディには、それぞれ前記第１の上部ボディ及び第２の上部ボディの前記ベースの上端部と接して境界をなす下端部の外周面にグルーブ（groove）の形に凹むように形成された安着溝が設けられ、該安着溝に共用のゴムリングや弾性バンドが安着して歯に結束されることができる。
【００１８】
前記結紮スライドは、前記ブラケット本体のスライド部に相補的に結合して移動可能な状態で収容されるボディと、該ボディの下端部の両側にそれぞれ外側に対向するように突出される１組のスライディングウィングと、を含むことができる。
【００１９】
そして、前記スライディングウィングは、前記ブラケット本体のスライド部の両側壁をなす１組のガイド部にそれぞれ備えられたガイドレールに相補的に結合され、スライディングによる移動ができるように設置してもよい。
【００２０】
また、前記結紮スライドは、ボディの底面に前記リテーナが嵌め込まれて支持されるように備えられた嵌め込み溝を具備することができる。
前記リテーナは、前記結紮スライドの移動に伴って、前記ピン部材によって弾性変更されながら、相補的な脱着作用ができるように板バネ体から形成されたスナップリング（Snap ring）からなることができる。
【００２１】
また、前記リテーナは、板状の弾性片からなるボディの中央に円形穴が形成された円盤部と前記円形穴の一方が開放されて連続するスリット穴とがキー溝（key seat）の形状をなすように前記円盤部から延出されるように備えられた１組の流動板と、前記円形穴の他側に連通する逃避溝として形成された円弧型長穴及び前記円形穴と円弧型長穴との境界部に内側に突出するように翼の形に形成された１組の緩衝用弾性リブと、を含んでなることができる。
【００２２】
また、前記ブラケット本体は、非金属透明素材及び半透明素材から選ばれたいずれか１つの素材を用いて成形されることができる。そして、前記ピン部材及びリテーナは、それぞれ金属素材からなり、前記ラケット本体から透視されるように設置された構成を持つことができる。
【発明の効果】
【００２３】
本発明による自己結紮式歯列矯正用ブラケット組立体によれば、次のような効果を得ることができる。
【００２４】
第１に、歯列矯正用アーチワイヤー結紮スライドの作動をワンタッチ方式で操作することができ、簡易にハンドリングすることができるので、歯列矯正治療及び施術の効率性と効果を向上させることができる。
【００２５】
第２に、歯列矯正用アーチワイヤー結紮スライドの作動メカニズムが簡素化されて、経済的で、高精度製作が可能であり、歯列矯正治療及び施術に対する品質と信頼性を向上させることができる。
【００２６】
第３に、歯列矯正用アーチワイヤー結紮スライドの作動メカニズムが簡略化されて、歯列矯正治療及び施術時の痛みを排除して安心感を向上させることができる。
【００２７】
第４に、補強芯材（core material）が挿入（inserting）された構造によって向上された耐摩耗性と耐久性を保持することができる。
【図面の簡単な説明】
【００２８】
【図１】本発明の実施例による自己結紮式歯列矯正用ブラケット組立体の脱離斜視図。
【図２】図１の要部を抜粋して、底面を示した概要平面図。
【図３】図１及び図２の要部を抜粋して、それぞれ変形された実施例を示した概略の斜視図。
【図４】本発明の実施例による自己結紮式歯列矯正用ブラケット組立体の結合斜視図。
【図５】本発明の実施例による自己結紮式歯列矯正用ブラケット組立体の側面図。
【図６】図４のVI−VI’線の断面図。
【図７】本発明の他の実施例による自己結紮式歯列矯正用ブラケット組立体の平面図。
【図８】図７の底面図。
【発明を実施するための形態】
【００２９】
以下、添付の図面を参照して、本発明による自己結紮式歯列矯正用ブラケット組立体に対して詳細に説明する。以下の説明内容と添付の図面は、本発明の望ましい実施例に過ぎなく、請求範囲に記載の本発明による自己結紮式歯列矯正用ブラケット組立体を限定するものではない。
【００３０】
図１は、本発明の実施例による自己結紮式歯列矯正用ブラケット組立体の脱離斜視図であり、図２は、図１の要部を抜粋して、底面を示した平面図である。
【００３１】
図１と図２を参照して、本発明の実施例による自己結紮式歯列矯正ブラケット組立体１００は、ブラケット本体１１０と、前記ブラケット本体１１０に設置される結紮スライド１２０と、前記ブラケット本体１１０に対して前記結紮スライド１２０の脱離を防ぐことができるように拘束するための結束部と、を含む。
【００３２】
前記ブラケット本体１１０は、歯の表面に付着する接着剤と、歯配列方向にカップリングワイヤ（図示せず）を挿入できるように開放形成されたスロット１１４とを備える。結紮スライド１２０は、前記スロット１１４の選択的な開閉動作ができるように前記ブラケット本体１１０に移動可能な状態で設置される。
【００３３】
前記ブラケット本体１１０は、歯の表面に付着する接着面が底面を形成するように板状ブロック体形状からなるベース１１１と、前記スロット１１４を挟んで両側に分割区画されるように前記ベース１１１上にそれぞれ突出されたブロックの形状に設けられる第１の上部ボディ１１２及び第２の上部ボディ１１３とを備える。
【００３４】
即ち、前記スロット１１４は、上部及び両端に開放されているグルーブやレール溝などのような凹んでいる凹溝の形態をなすように形成される。即ち、前記ベース１１１の上面の一部が露出してベースをなし、前記第１の上部ボディ１１２及び第２の上部ボディ１１３の向かい合う壁面が内側壁をなすように取り囲むことによって、前記スロット１１４が形成される。前記スロット１１４の凹溝にアーチワイヤ（図示せず）が安着するように挿入されてブラケット本体１１０をカップリングできるようになっている。
【００３５】
前記ベース１１１は、底面、即ち、歯の表面に付着する接着面をなすようになる底面に多数の突出突起１１１ａを備える。前記突出突起１１１ａは、接着剤と接着領域を増大させて結合強度を増加させる。前記突出突起１１１ａは、図１に示したように、アンダーカット（undercut）の形に形成することができる。この場合、前記突出突起１１１ａは、周囲に充填されるレジン（resin）などの接着剤を拘束して容易に脱離されることを防ぐことができる。
【００３６】
前記第１の上部ボディ１１２には、工具ソケット（tool receptacle）１１２ａが形成されることができる。この工具ソケット１１２ａ、前記スロット１１４の内側壁をなしている壁面の上端に一定の深さに窪むように加工されたタブ（tab）の形の逃避溝として形成される。
【００３７】
前記結紮スライド１２０が前記スロット１１４の上側開口部を閉鎖するように閉じられた状態では、前記結紮スライド１２０の先端部が一方の壁面を形成するように塞いでスリム（slim）なストレートスロット形状の凹溝を形成することになる。
【００３８】
従って、歯列矯正施術時に、前記結紮スライド１２０が閉じた状態でセッティングされて前記スロット１１４に挿入されたアーチワイヤの結紮状態を解除しようとする場合、歯列矯正施術者が前記工具ソケット１１２ａに工具や施術ツールを挿入して軽く回転させることで、前記結紮スライド１２０を加圧して押し出す物理力によって容易に後進させ、前記スロット１１４の上側を開放できるようになるにつれて、アーチワイヤの結紮状態を簡単に解除することができる。
【００３９】
前記第２の上部ボディ１１３は、前記結紮スライド１２０が収容され、移動可能な通路を形成するように、“凹”状のキャビティ（cavity）をなすスライド部１１３ｓと、当該スライド部１１３ｓの両側壁を形成するように突出され、互い向かい合う１組のガイド部１１３ａと、を含む。
【００４０】
前記１組のガイド部１１３ａの内側壁の下端部には、それぞれ前記スライド部１１３ｓを拡張するようにグルーブの形に加工形成されたガイドレール１１３ｇが並んで配列されるように備えられる。
【００４１】
前記スライド部１１３ｓには、前記ベース１１１と前記第２の上部ボディ１１３とを貫通するように形成された貫通孔が具備されており、その貫通孔には、前記結束手段の１つの構成要素をなすようになるピン部材１３０が挿入され、その上端部が前記スライド部１１３ｓの床面から一定の高さ突出するように設置される。
【００４２】
前記第１の上部ボディ１１２と第２の上部ボディ１１３には、それぞれ前記ベース１１１の上端部と接して境界をなす下端部の外周面にグルーブ（groove）の形に凹むように形成された安着溝１１２ｂ、１１３ｂが備えられる。この安着溝１１２ｂ、１１３ｂには、例えば、ゴムリングや弾性バンドなどが共用に安着されるように設置されて歯と結束される。
【００４３】
上述したような構成を持つブラケット本体１１０は、例えば、レジン（resin）や樹脂又はセラミック素材を使用して、射出成形などによって有色又は着色成形体や透明又は半透明の成形体に成形することができる。
【００４４】
前記結紮スライド１２０は、前記第２の上部ボディ１１３に備えられた“凹”型のスライド部１１３ｓに相補的に結合され、移動可能な状態に収容されるカバーや蓋又はドアの形をなすようになるボディ１２１と、該ボディ１２１の下端部の両側にそれぞれ外側に対向するように突出される１対のスライドウイング１２２と、を含んで構成される。
【００４５】
前記スライドウイング１２２は、前記ブラケット本体１１０に設けられたスライド部１１３ｓの両側壁をなす１組のガイド部１１３ａにそれぞれ備えられたガイドレール１１３ｇに相補的に結合するように収容され、スライドにより移動できるように設置される。
【００４６】
本発明の一側面によれば、前記結紮スライド１２０は、ボディ１２１の底面の後端部に前記リテーナ１４０が嵌め込まれて支えられるように備えられた嵌め込み溝１２３が設けられ、該嵌め込み溝１２３に前記リテーナ１４０の後端部が嵌め込まれるように結合され、前記ボディ１２１の底面に密着された状態で設けられる。
【００４７】
本発明の他の側面によれば、前記結紮スライド１２０のボディ１２１の底面には、例えば、図示されていないスクリューなどのような締結部材により前記リテーナ１４０が密着した状態でセッティングされるように設置されることができる。
【００４８】
上述したような構成を持つ結紮スライド１２０は、例えば、レジン（resin）や樹脂又はセラミック素材を使用して、射出成形などによって有色又は着色成形体や透明又は半透明の成形体に成形することができる。
【００４９】
前記リテーナ１４０は、前記ピン部材１３０と共に前記結束手段の更に他の１つの構成要素をなすようになるものであり、図２に示されたように、前記結紮スライド１２０のボディ１２１の底面に対面して密着された状態で設置されるように、例えば、ナップリング形態の板バネ体に形成することができる。これにより、前記リテーナ１４０は、前記ブラケット本体１１０に設けられたスライド部１１３ｓの底面から一定の高さ突出するように設置されたピン部材１３０と相補的な脱着作用を行う結束手段をなすようになる。
【００５０】
図２及び図３を参照して、前記リテーナ１４０は、円盤部１４１ａと、１組の流動板１４１Ｂと、１組の緩衝用弾性リブ１４１Ｌと、を含む。
【００５１】
前記円盤部１４１ａは、板状の弾性片からなるボディ１４１の中央に前記ピン部材１３０の安着収容ができるように円形穴１４１ｈを備える。前記１組の流動板１４１Ｂは、前記円形穴１４１ｈの一側が開放され、前記ピン部材１３０の干渉によって間隔が伸縮する通路を形成するように設けられるスリット穴１４１ｓが、キー溝（key seat）の形状をなすように前記円盤部１４１ａから延長されて突出するように備えられる。前記１組の緩衝用弾性リブ１４１Ｌは、前記円形穴１４１ｈの他側に連通する逃避溝として形成された円弧型長穴１４１ｔ及び前記円形穴１４１ｈと円弧型長穴１４１ｔとの境界部に内側に突出するように翼の形に形成される。
【００５２】
即ち、前記リテーナ１４０は、図６の垂直断面図に示されているように、前記スロット１１４の開閉のために前記結紮スライド１２０が移動する際に、前記ピン部材１３０が前記リテーナ１４０の流動板１４１Ｂの間に形成されたスリット穴１４１ｓに嵌め込まれた状態で移動することになる。この場合、前記ピン部材１３０の干渉によって前記スリット穴１４１ｓの間隔が広がるように前記円盤部１４１ａが弾性変形する。これにより、前記円盤部１４１ａの円形穴１４１ｈに前記ピン部材１３０が収容されたり、又は脱離する脱着作用を通じて、前記結紮スライド１２０が前記スロット１１４に挿入されたワイヤ（図示せず）の結紮及び解除動作を選択的に行えるようになる。
【００５３】
要するに、前記リテーナ１４０は、板状の弾性片からなるボディ１４１の中央にキー溝（key seat）が形成され、全体としてアーチ又は馬のひづめの形の板バネ体又はスナップリング（Snap ring）の形からなるものであり、前記ブラケット本体１１０の第２の上部ボディ１１３に“凹”状のキャビティ（cavity）に形成されたスライド部１１３ｓの床面から一定の高さ突出するように設置されるピン部材１３０と相補的な脱着作用を通じて、前記ブラケット本体１１０と前記結紮スライド１２０との結束状態と解除状態を決定する結束手段をなすようになる。
【００５４】
即ち、本発明による自己結紮式歯列矯正用ブラケット組立体１００によると、前記スロット１１４に挿入されたワイヤ（図示せず）を結紮するために前記結紮スライド１２０を閉じられた（close）状態にセッティングするために移動させる場合、前記ピン部材１３０が前記円盤部１４１ａの円形穴１４１ｈに押し込まれて安着するときに、前記緩衝用弾性リブ１４１Ｌが前記円弧型長穴１４１ｔに向けて弾性変形することにより、ブレーキ役割と機能を行うように作用することになる。これにより、前記結紮スライド１２０を押し込んでアーチワイヤー結紮動作が行われるときに発生する衝撃を自然に吸収して解消するか、又は大幅に緩和できる。
【００５５】
従って、本発明による自己結紮式歯列矯正用ブラケット組立体１００によると、既存の通常的な歯列矯正用ブラケット組立体を使用して歯列矯正する過程で、度々患者の感じるようになる痛みを効果的に解消することができるか、又は完全に排除することができる。
【００５６】
以下では、上述したような構成を持つ本発明による自己結紮式歯列矯正用ブラケット組立体１００の作動状態を詳細に説明する。
【００５７】
本発明による自己結紮式歯列矯正用ブラケット組立体１００を使用して、歯列矯正治療を施術する場合、前記ブラケット本体１１０のベース１１１の底面をなしている接着面が歯の表面に付着するようにセッティングし、前記ブラケット本体１１０のスロット１１４に歯配列方向にアーチワイヤ（図示せず）を挿入して安着させる。
【００５８】
前記ブラケット本体１１０を歯の表面に付着してセッティングするときに、前記結紮スライド１２０は、前記スロット１１４が開放された状態になるように後退して開かれた状態にセッティングされる。
【００５９】
本発明において、前記ブラケット本体１１０を歯の表面に付着してセッティングする治療施術過程が本発明を限定するわけではなく、通常の歯列矯正治療の施術の場合と実質的に同一に行うことができる。
【００６０】
続いて、前記スロット１１４に挿入されたアーチワイヤ（図示せず）を結紮させるために、歯列矯正施術者が工具や施術ツールを使用して結紮スライド１２０の後端部を軽く押すと、前記結紮スライド１２０がブラケット本体１１０の第２の上部ボディ１１３に備えられた“凹”状のスライド部１１３ｓに沿って前進するように移動する。
【００６１】
前記結紮スライド１２０の移動時に前記スライド部１１３ｓの両側壁に備えられた１組のガイド部１１３ａと結紮スライド１２０のボディ１２１の下端部の両側に突出して備えられた１組のスライディングウィング１２２が相補的な滑り運動をするように作用して、スムーズなスライディング動作が可能になる。このようなスライディング動作により、結紮スライド１２０が前記スロット１１４の上側開口部を閉鎖するように閉じられてアーチワイヤ（図示せず）を結紮させる。
【００６２】
前記結紮スライド１２０の結紮及び解除動作が行われるときに、そのボディ１２１の底面に設置されているリテーナ１４０は、前記ブラケット本体１１０のスライド部１１３ｓの底面から一定の高さ突出されたピン部材１３０と相補的な脱着作用によってロッキング（locking）及びアンロッキング（unlocking）状態をなすように拘束及び解除状態に設定されることができる。即ち、前記結紮スライド１２０が結紮動作を行うために前進して摺動する場合、前記ピン部材１３０が前記リテーナ１４０の円盤部１４１ａの円形穴１４１ｈに押し込まれて安着される。この場合、前記緩衝用弾性リブ１４１Ｌが前記円弧型長穴１４１ｔに向けて弾性変形することにより、結紮動作が行われるときに発生する影響を吸収して解消するか、又は緩和することができる。これにより、患者に渡される痛みを効果的に排除することができる。
【００６３】
前記結紮スライド１２０が閉じた状態にセッティングされて前記スロット１１４に挿入されているアーチワイヤの結紮状態を解除しようとする場合、歯列矯正施術者が前記工具ソケット１１２ａに工具や施術ツールを挿入した状態で軽く回転させる。この場合、加圧により押し出す物理力によって、前記工具や施術ツールが前記結紮スライド１２０を容易に後退させる。これにより、前記スロット１１４の上側を開放できるようになり、アーチワイヤの結紮状態を簡単に解除することができる。例えば、マイナスドライバーのような先端部が直線でなっている工具や施術ツールの先端部を前記工具ソケット１１２ａに挿入した状態で軽く回転させる。この場合、ストレート先端部のトーク（torque）によって前記結紮スライド１２０が押されて後退することにより、前記スロット１１４の上側が開放される。これにより、アーチワイヤの結紮状態を、いわゆる、ワンタッチ（one-touch）方式によって簡易に解除することができる施術の便宜性を提供できる。
【００６４】
図７と図８は、それぞれ、本発明の他の実施例による自己結紮式歯列矯正用ブラケット組立体を示した図である。
【００６５】
本発明の他の実施例による自己結紮式歯列矯正用ブラケット組立体によると、ブラケット本体１１０は、例えば、レジン（resin）や樹脂又はセラミックなどのような非金属素材を使用して射出成形などによって有色又は着色成形体や透明又は半透明成形体に製作することができる。
【００６６】
本発明は、上述した特定の好ましい実施例に限定されなく、請求の範囲において請求する本発明の要旨を逸脱することなく、当該発明が属する技術分野で通常の知識を有する者であれば、誰でも様々な変形及び実施が可能なことはもちろんであり、このような変更は、記載の請求の範囲内にある。
【図１】
2019510611.tif 000003
【図２】
2019510611.tif 000004
【図３（ａ）】
2019510611.tif 000005
【図３（ｂ）】
2019510611.tif 000006
【図４】
2019510611.tif 000007
【図５】
2019510611.tif 000008
【図６】
2019510611.tif 000009
【図７】
2019510611.tif 000010
【図８】
2019510611.tif 000011
【国際調査報告】
2019510611.tif 000012
2019510611.tif 000013
2019510611.tif 000014
2019510611.tif 000015